(57)【要約】【課題】編集作業をすることなく、途中でシーンチェンジのある場合でも音声と映像のタイミングの合った作品を容易に作成することができるビデオカメラ装置を提供することにある。【解決手段】ビデオカメラ装置は、撮像を行うカメラ１０１と、映像・音声多重化データ１０９、映像に対して多重化される音声データ１１０及びシーンチェンジデータ１１１を有するデータ記録部１０８と、カメラ１０１からの入力信号をデジタル化する映像エンコーダ１１２と、音声データ１１０をアナログ信号として復号化する音声デコーダ１１３と、音声デコーダ１１３で復号化されたアナログ信号を音声として再生するスピーカ１０２と、映像エンコーダ１１２で符号化した映像データと音声データ１１０とを多重化して、映像・音声多重化データ１０９を生成する映像・音声多重化回路１０６とを備える。【選択図】      図１
2004312466.tif 000002
【特許請求の範囲】
【請求項１】
撮像を行う撮像手段と、映像データ及び音声データを記録するデータ記録手段と、音声を出力する音声出力手段と、映像を出力する映像出力手段と、前記記録された音声データを再生すると共に、当該再生された音声に前記撮像手段によって撮像された映像を同期して多重化する多重化手段とを備えるビデオカメラ装置において、
前記記録された音声データに対するシーンチェンジのタイミングを指定するシーンチェンジデータ指定手段と、前記多重化手段による前記音声データの再生時間を計測する計測手段と、前記計測された再生時間及び前記シーンチェンジデータに基づいてそのシーンの残り時間を演算する演算手段と、前記演算された残り時間に関する情報を前記映像出力手段に出力させる残り時間出力指示手段と、前記多重化手段による多重化を開始又は停止させる多重化指示手段とを備えることを特徴とするビデオカメラ装置。
【発明の詳細な説明】
【０００１】
【発明の属する技術分野】
本発明は、ビデオカメラ装置に関し、特に、映像と音声を記録するビデオカメラ装置に関する。
【０００２】
【従来の技術】
ビデオカメラ装置を用いて映像と音声を組み合わせた作品を作る場合、従来は、予め用意した映像素材と音声素材を編集作業により組み合わせることで音声と映像のタイミングの合ったビデオクリップ作品を作成していた。
【０００３】
また、編集作業自体を必要としないで映像と音声を組み合わせた作品を作ることのが可能なものとしては、曲を再生する外部音声再生装置から音声信号と共に曲の長さの情報を受けて、曲が終わるまでの残り時間を表示することにより、曲に合わせて映像を撮ることのできるビデオカメラ装置が提案されている（例えば、特許文献１参照）。
【０００４】
【特許文献１】
特開平３−２０７１７０号公報
【０００５】
【発明が解決しようとする課題】
しかしながら、編集作業を行うには、編集用の専用機器やパーソナルコンピュータ上で動くソフトウェアなどの編集環境を用意する必要がある上、映像素材や音声素材を用意する作業や編集作業自体に手間がかかるという問題がある。
【０００６】
また、特許文献１に記載されているように音楽が終わるまでの残り時間を表示する場合は、音楽の最後まで続けて撮るのであれば問題ないが、途中でシーンチェンジしようとすると、外部からの音声の録音と撮影を同時に停止し、改めて録音と撮影を開始する必要があり、その操作をすべて撮影者が手動で行う必要があるため、録音と撮影の間でずれが生じたり、撮影に集中できないという問題がある。
【０００７】
本発明の目的は、編集作業をすることなく、途中でシーンチェンジのある場合でも音声と映像のタイミングの合った作品を容易に作成することができるビデオカメラ装置を提供することにある。
【０００８】
【課題を解決するための手段】
上述の目的を達成するために、請求項１記載のビデオカメラ装置は、撮像を行う撮像手段と、映像データ及び音声データを記録するデータ記録手段と、音声を出力する音声出力手段と、映像を出力する映像出力手段と、前記記録された音声データを再生すると共に、当該再生された音声に前記撮像手段によって撮像された映像を同期して多重化する多重化手段とを備えるビデオカメラ装置において、前記記録された音声データに対するシーンチェンジのタイミングを指定するシーンチェンジデータ指定手段と、前記多重化手段による前記音声データの再生時間を計測する計測手段と、前記計測された再生時間及び前記シーンチェンジデータに基づいてそのシーンの残り時間を演算する演算手段と、前記演算された残り時間に関する情報を前記映像出力手段に出力させる残り時間出力指示手段と、前記多重化手段による多重化を開始又は停止させる多重化指示手段とを備えることを特徴とする。
【０００９】
【発明の実施の形態】
以下、本発明の実施の形態に係るビデオカメラ装置を図面を参照して詳述する。
【００１０】
図１は、本発明の第１の実施の形態に係るビデオカメラ装置の概略構成を示すブロック図である。
【００１１】
図１において、本発明の実施の形態に係るビデオカメラ装置は、主として、撮像を行うカメラ１０１と、最終的な作品となる映像・音声多重化データ１０９、映像に対して多重化される音声データ１１０及びシーンチェンジデータ１１１を有するデータ記録部１０８と、カメラ１０１からの入力信号をデジタル化する映像エンコーダ１１２と、音声データ１１０をアナログ信号として復号化する音声デコーダ１１３と、音声デコーダ１１３で復号化されたアナログ信号を音声として再生するスピーカ１０２と、映像エンコーダ１１２で符号化した映像データと音声データ１１０とを多重化して後述する図２の映像・音声多重化データ１０９を生成する映像・音声多重化回路１０６とを備える。
【００１２】
このビデオカメラ装置は、さらに、モニタ１０４と、映像・音声多重化回路１０６の多重化の開始と停止を指示する多重化指示回路１０７と、シーンチェンジのタイミングを指示することによりシーンチェンジデータ１１１を作成するタイミング指示回路１０３と、シーンチェンジまでの時間をカウントダウンするカウントダウン計測回路１０５とを備える。
【００１３】
多重化指示回路１０７にて多重化の開始を指示すると、スピーカ１０２は、音声データ１１０を音声デコーダ１１３を介して出力すると同時に、映像・音声多重化回路１０６は、カメラ１０１からの映像を映像エンコーダ１１２で符号化映像データと音声データ１１０とを多重化する。
【００１４】
また、その際、モニタ１０４は、カメラ１０１で撮影中の映像を出力すると同時に、シーンチェンジデータ１１１と、カウントダウン計測回路１０５で計測されたシーンチェンジまでの残り時間を表示することにより、ユーザにシーンチェンジのタイミングを知らせ、多重化指示回路１０７にてタイミングに合わせて多重化を停止させることができる。
【００１５】
図２は、図１における映像・音声多重化回路１０６によって生成される映像・音声多重化データ１０９のファイルフォーマットを説明する図である。
【００１６】
図２において、映像・音声多重化データ１０９は、データの種別情報を格納するヘッダ２０１と、カメラ１０１で撮影され映像エンコーダ１１２でエンコードされた映像データをパケット化した映像データパケット２０２と、音声データ１１０を多重化用にパケット化した音声データパケット２０３とから成る。
【００１７】
図３は、図１のビデオカメラ装置によって実行される多重化停止時のタイミング調整処理を示すフローチャートである。
【００１８】
図３において、映像と音声の多重化中に（ステップＳ３０１）、多重化指示回路１０７により多重化停止の指示があると（ステップＳ３０２でＹＥＳ）、多重化停止の指示のタイミングをシーンチェンジデータ１１１のシーンチェンジタイミングと比較して、多重化停止の指示のタイミングがシーンチェンジデータ１１１に設定された範囲内であるか否かを判別し（ステップＳ３０３）、設定された範囲内であるときはシーンチェンジタイミングに合わせて多重化を停止した後（ステップＳ３０４）、設定された範囲外にあるときは直ちに、本処理を終了する。
【００１９】
本処理によれば、多重化停止の指示のタイミングがシーンチェンジデータ１１１に設定された範囲内であるときは（ステップＳ３０３でＹＥＳ）、シーンチェンジタイミングに合わせて多重化を停止する（ステップＳ３０４）ので、容易に多重化停止の指示を出すことができ、編集作業をすることなく、途中でシーンチェンジのある場合でも音声と映像のタイミングの合った作品を容易に作成することができる。
【００２０】
図４は、図１のビデオカメラ装置によって実行される多重化停止時の別のタイミング調整処理を示すフローチャートである。
【００２１】
図４において、映像と音声の多重化中に（ステップＳ４０１）、多重化の時間がシーンチェンジデータ１１１のシーンチェンジタイミングになったか否かを判別し（ステップＳ４０２）、シーンチェンジタイミングになったときは、シーンチェンジタイミングに合わせて多重化を停止した後（ステップＳ４０３）、シーンチェンジタイミングになっていないときは、直ちに、本処理を終了する。
【００２２】
本処理によれば、多重化の時間がシーンチェンジデータ１１１のシーンチェンジタイミングになったときは（ステップＳ４０２でＹＥＳ）、シーンチェンジタイミングに合わせて多重化を停止する（ステップＳ４０３）ので、容易に多重化停止の指示を出すことができ、編集作業をすることなく、途中でシーンチェンジのある場合でも音声と映像のタイミングの合った作品を容易に作成することができる。
【００２３】
図５は、本発明の第２の実施の形態に係るビデオカメラ装置の概略構成を示すブロック図である。
【００２４】
図５において、本発明の第２の実施の形態に係るビデオカメラ装置は、主として、サンプル画像を生成するサンプル画像生成回路２０１と、映像に対して多重化される音声データ１１０及びシーンチェンジデータ１１１を有するデータ記録部１０８と、モニタ１０４と、音声データ１１０を再生し、この再生された音声に生成されたサンプル画像をシーンチェンジデータに基づいて切替えながら同期して多重化するサンプル画像・音声多重化回路２０２と、音声データ１１０をアナログ信号として復号化する音声デコーダ１１３と、音声デコーダ１１３で復号化されたアナログ信号を音声として再生するスピーカ１０２とを備える。
【００２５】
このビデオカメラ装置は、さらに、シーンチェンジのタイミングを指示することによりシーンチェンジデータ１１１を作成するタイミング指示回路１０３と、シーンチェンジデータ１１１にあるシーンチェンジのタイミングを前後に移動させて微調整するタイミング微調整回路２０３と、シーンチェンジまでの時間をカウントダウンするカウントダウン計測回路１０５とを備える。
【００２６】
モニタ１０４は、シーンチェンジデータ１１１と、カウントダウン計測回路１０５で計測されたシーンチェンジまでの残りの時間とを表示することにより、ユーザにシーンチェンジのタイミングを知らせる。
【００２７】
サンプル再生制御回路２０２にて一度作成したシーンチェンジデータ１１１のタイミングを確認し、ユーザがずれを感じた場合は、タイミング移動指示回路２０３にてそのシーンチェンジのタイミングを調整することができる。
【００２８】
図６は、図５のビデオカメラ装置におけるユーザの操作を示すフローチャートである。
【００２９】
図６において、まず、音声データ１１０を準備し（ステップＳ６０１）、タイミング指示回路１０３により、音声データ１１０に対するシーンチェンジタイミングを指示して、シーンチェンジデータ１１１を作成する（ステップＳ６０２）。
【００３０】
次いで、サンプル再生制御回路２０２を用いて、音声データ１１０を再生しながら、シーンチェンジデータ１１１のタイミングでサンプル画像生成回路２０１で生成した画像データをモニタ１０４に表示して、画像データが指定したタイミングに一致するか否かを確認し（ステップＳ６０３）、一致していないときは（ステップＳ６０３でＮＯ）、タイミング移動指示回路２０３を用いてタイミングを調整して、タイミングデータ１１１を修正すると共に（ステップＳ６０４）、一致しているときは（ステップＳ６０３でＹＥＳ）、音声にあわせて、各シーンの撮影を行う（ステップＳ６０５）。
【００３１】
続くステップＳ６０６では、各シーンの映像と音声のタイミングが一致しているか否かを確認し、一致していないときは（ステップＳ６０６でＮＯ）、ステップＳ６０５に戻ってそのシーンの撮影をやり直すと共に、一致しているときは（ステップＳ６０６でＹＥＳ）、ステップＳ６０５及びＳ６０６の処理を繰り返して、最後のシーンまで撮り終えたときは（ステップ６０７でＹＥＳ）、本操作を終了する。
【００３２】
本処理によれば、画像データが指定したタイミングに一致してないときは（ステップＳ６０３でＮＯ）、タイミング移動指示回路２０３を開いてタイミングを調整して、タイミングデータ１１１を修正し（ステップＳ６０４）、各シーンの映像と音声のタイミングが一致していないときは（ステップＳ６０６でＮＯ）、そのシーンの撮影をやり直す（ステップＳ６０５）ので、編集作業をすることなく、途中でシーンチェンジのある場合でも音声と映像のタイミングの合った作品を容易に作成することができる。
【００３３】
本発明の実施態様を以下に列挙する。
【００３４】
〔実施態様１〕  撮像を行う撮像手段と、映像データ及び音声データを記録するデータ記録手段と、音声を出力する音声出力手段と、映像を出力する映像出力手段と、前記記録された音声データを再生すると共に、当該再生された音声に前記撮像手段によって撮像された映像を同期して多重化する多重化手段とを備えるビデオカメラ装置において、前記記録された音声データに対するシーンチェンジのタイミングを指定するシーンチェンジデータ指定手段と、前記多重化手段による前記音声データの再生時間を計測する計測手段と、前記計測された再生時間及び前記シーンチェンジデータに基づいてそのシーンの残り時間を演算する演算手段と、前記演算された残り時間に関する情報を前記映像出力手段に出力させる残り時間出力指示手段と、前記多重化手段による多重化を開始又は停止させる多重化指示手段とを備えることを特徴とするビデオカメラ装置。
【００３５】
〔実施態様２〕  前記シーンチェンジデータ作成手段は、ユーザの指定によるシーンチェンジのタイミングを受付ける受付け手段を有することを特徴とする実施態様１記載のビデオカメラ装置。
【００３６】
〔実施態様３〕  前記多重化指示手段は、前記シーンチェンジデータのタイミングの所定範囲内の多重化停止指示に対しては、当該多重化の停止をシーンチェンジデータのタイミングで行うことを特徴とする実施態様１又は２記載のビデオカメラ装置。
【００３７】
〔実施態様４〕  前記多重化指示手段は、前記多重化の停止を前記シーンチェンジデータに基づいて前記シーンが終了するタイミングで行うことを特徴とする実施態様１又は２記載のビデオカメラ装置。
【００３８】
〔実施態様５〕  音声データ及びシーンチェンジデータを記録するデータ記録手段と、映像を出力する映像出力手段と、サンプル画像を生成するサンプル画像生成手段と、前記記録された音声データを再生すると共に、当該再生された音声に前記生成されたサンプル画像を前記シーンチェンジデータに基づいて切替えながら同期して多重化する多重化手段とを備えるビデオカメラ装置において、前記シーンチェンジのタイミングを微調整するタイミング微調整手段とを備えることを特徴とするビデオカメラ装置。
【００３９】
【発明の効果】
以上詳細に説明したように、請求項１記載のビデオカメラ装置によれば、シーンチェンジのタイミングの調整が適正に行われるので、編集作業をすることなく、途中でシーンチェンジのある場合でも音声と映像のタイミングの合った作品を容易に作成することができる。
【図面の簡単な説明】
【図１】本発明の第１の実施の形態に係るビデオカメラ装置の概略構成を示すブロック図である。
【図２】図１における映像・音声多重化回路１０６によって生成される映像・音声多重化データ１０９のファイルフォーマットを説明する図である。
【図３】図１のビデオカメラ装置によって実行される多重化停止時のタイミング調整処理を示すフローチャートである。
【図４】図１のビデオカメラ装置によって実行される多重化停止時の別のタイミング調整処理を示すフローチャートである。
【図５】本発明の第２の実施の形態に係るビデオカメラ装置の概略構成を示すブロック図である。
【図６】図１のビデオカメラ装置におけるユーザの操作を示すフローチャートである。
【符号の説明】
１０１  カメラ
１０２  スピーカ
１０３  タイミング指示回路
１０４  モニタ
１０５  カウントダウン計測回路
１０６  映像・音声多重化回路
１０７  多重化指示回路
１０８  記録部
１０９  映像・音声多重化データ
１１０  音声データ
１１１  シーンチェンジデータ
【図１】
2004312466.tif 000003
【図２】
2004312466.tif 000004
【図３】
2004312466.tif 000005
【図４】
2004312466.tif 000006
【図５】
2004312466.tif 000007
【図６】
2004312466.tif 000008